(57)【要約】【課題】スライド伸縮して変化した測量用標尺の高さが自動的に、簡易な構造により示される伸縮長表示式測量用標尺を提供する。【解決手段】測量用標尺上部１３を構成するスライドガイド部に対し、測量用標尺下部１５を構成するスライド部を、スライドさせ、測量用標尺３全体を伸縮させる。この測量用標尺下部１５のスライドは、測量用標尺上部の表面１９の背側で行われる。このため、合計目盛１７の上側は、スライドにより、測量用標尺上部の表面１９から隠れ、残りの下側は露出する。この合計目盛１７は、測量用標尺下部１５の下端２１からの寸法に測量用標尺上部１３の寸法を合計した合計寸法値を有するものである。よって、表面側へ露出する上縁部の数値は、伸縮して変化する測量用標尺３全体の寸法を表示することになる。【選択図】図１
2010071902.tif 000002
【特許請求の範囲】
【請求項１】
測量用標尺の上部を構成し、目標目盛が表面に設けられるスライドガイド部と、このスライドガイド部にガイドされ、前記測量用標尺の下部を構成し、スライドガイド部の表面の背側でスライド移動するスライド部と、前記測量用標尺下部の表面に設けられ、前記測量用標尺下部の下端からの寸法に前記測量用標尺上部の寸法を合計した合計寸法値を有する合計目盛と、を有し、前記スライドにともない伸縮して変化する前記測量用標尺全体の寸法を、前記合計目盛の表面側へ露出する上縁部の数値で表示することを特徴とする伸縮長表示式測量用標尺。
【請求項２】
床の凹凸を測定するため、床の上に測量用標尺を下端を接して垂直に支持し、この測量用標尺の下端から一定寸法上方に設けられる目標目盛を、前記測量用標尺から離れた基準床面の上で前記一定寸法上方において水平に設置された測量機器のレベルで狙い、狙いのずれの大きさを前記目標目盛で読み取ることで前記凹凸の大きさを測定する前記測量用標尺であって、
前記測量用標尺の上部を構成し、前記目標目盛が表面に設けられるスライドガイド部と、このスライドガイド部にガイドされ、前記測量用標尺の下部を構成し、スライドガイド部の表面の背側でスライド移動するスライド部と、前記測量用標尺下部の表面に設けられ、前記測量用標尺下部の下端からの寸法に前記測量用標尺上部の寸法を合計した合計寸法値を有する合計目盛と、を有し、前記スライドにともない伸縮して変化する前記測量用標尺全体の寸法を、前記合計目盛の表面側へ露出する上縁部の数値で表示することを特徴とする伸縮長表示式測量用標尺。
【発明の詳細な説明】
【技術分野】
【０００１】
この発明は、例えば床の凹凸を測定するための測量用標尺の構造に関する。
【背景技術】
【０００２】
例えば、建築中や増改築中の建物で、コンクリートを流し込んで形成するコンクリート床の凹凸を正確に測定する必要がある。
この測定は、例えば、以下のように行う。すなわち、一人の作業員が、床の上に測量用標尺を下端を接して垂直に支持する。他の作業員は、測量用標尺から離れた基準床面の上で測量機器であるレベルを設置する。この測量機器であるレベルは、基準床面の一定寸法上方、例えば１５０ｃｍ方において、水平に設置され、内蔵する光学機器で、この水平な位置にあるものを、拡大して目視できる。この測量機器であるレベルによって、測量用標尺の下端から一定寸法上方に設けられる目標目盛を狙う。
【０００３】
コンクリート床に凹凸があり、測量用標尺を支持した部分が、凹の部分であれば、測量用標尺は沈むので、狙いは上にずれる。逆に、凸の部分であれば、下にずれる。このずれの大きさを、測量機器であるレベルを通し拡大した目標目盛で読み取ることで、凹凸の大きさを測定する。このような測定を床の上の各所で行い、床全体の凹凸を測定する。
【０００４】
このような床の凹凸の測定は、他にも測定方法がある。たとえば、レーザー光を用いた測定である。すなわち、レーザー水平器と呼ばれる測定器を用い、レーザー水平器を気泡管によって、水平に設置し、この水平面に対して平行なレーザー光線を照射し、この照射光の反射を、測量用標尺の目標目盛の上で、目視で確認し、凹凸の大きさを測定する。
【０００５】
このレーザー光を用いた測定で用いられる測量用標尺には、下記の特許文献１に示され、上下方向にスライドして伸縮するものが存在する。
【特許文献１】米国特許００６７６０９７４
【発明の開示】
【発明が解決しようとする課題】
【０００６】
測量用標尺を上下方向にスライドして伸縮する構造にすれば、レーザー水平器の床面からの高さを正確に設定しなくても、測量用標尺の目標目盛の高さを伸縮により変更できるので、レーザー水平器の高さに自在に合わせられ、作業が便利である。レーザー水平器は三脚によって設置され、三脚により高さを正確に設置するのは難しいからである。
【０００７】
この便利さは、例えば、レーザー水平器を設置する設置面をどこに選択するかによって設置面の高さが変わるとき、作業者の背の高さや好みによって作業しやすいレーザー水平器の高さが変わるとき、などに特に便利である。
以上のことは、レーザー水平器を使用する測定だけではなく、測量機器のレベルを使用する測定においても同様のことが言える。
【０００８】
しかしながら、レーザー水平器や測量機器のレベルが設置された高さの平面、すなわち水平基準面が、設計上の床面から、どれだけの高さであったかを作業中に測定しておく必要がある。
すなわち、建築中の建物のｎ階には、基準となる階水平基準面の高さを示す印Ｈｎが、足場などに印付けられる。この印Ｈｎは、各階の設計上の床から例えば一律１０００ｍｍに設定される。そして、各階の作業のための水平基準面は、作業員の背の高さや、測量機器のレベルの操作しやすい高さから、階水平基準面とは別に、任意の高さに設定される。例えば設計上の床から１４８０ｍｍに設定される。この任意に設定される水平基準面の高さと階水平基準面の高さの対応は、正確に把握されなければならない。
この作業のための水平基準面は、例えばベランダ、開放廊下、玄関、水回り、子供部屋、リビング、それぞれの床に、５ｃｍ〜２０ｃｍの段差がある場合、その必要に応じて、各々別に設定される。例えばベランダは設計上の床から１４８０ｍｍ、開放廊下は設計上の床から１４３０ｍｍ、玄関は設計上の床から１４７０ｍｍ、水回りは設計上の床から１４２０ｍｍ、子供部屋は設計上の床から１４９０ｍｍ、リビングは設計上の床から１４６０ｍｍ、といった具合であることがある。その場合に伸縮して変化した測量用標尺の高さをそのたびに計測するのは煩わしい。
【０００９】
この発明は、以上の問題点を解決するために、伸縮して変化した測量用標尺の高さが自動的に、簡易な構造により示される伸縮長表示式測量用標尺を提供することを目的とする。
【課題を解決するための手段】
【００１０】
以上の課題を解決するために、第一発明は、測量用標尺の上部を構成し、目標目盛が表面に設けられるスライドガイド部と、このスライドガイド部にガイドされ、前記測量用標尺の下部を構成し、スライドガイド部の表面の背側でスライド移動するスライド部と、前記測量用標尺下部の表面に設けられ、前記測量用標尺下部の下端からの寸法に前記測量用標尺上部の寸法を合計した合計寸法値を有する合計目盛と、を有し、前記スライドにともない伸縮して変化する前記測量用標尺全体の寸法を、前記合計目盛の表面側へ露出する上縁部の数値で表示することを特徴とする伸縮長表示式測量用標尺である。
【００１１】
第二発明は、床の凹凸を測定するため、床の上に測量用標尺を下端を接して垂直に支持し、この測量用標尺の下端から一定寸法上方に設けられる目標目盛を、前記測量用標尺から離れた基準床面の上で前記一定寸法上方において水平に設置された測量機器のレベルで狙い、狙いのずれの大きさを前記目標目盛で読み取ることで前記凹凸の大きさを測定する前記測量用標尺であって、
前記測量用標尺の上部を構成し、前記目標目盛が表面に設けられるスライドガイド部と、このスライドガイド部にガイドされ、前記測量用標尺の下部を構成し、スライドガイド部の表面の背側でスライド移動するスライド部と、前記測量用標尺下部の表面に設けられ、前記測量用標尺下部の下端からの寸法に前記測量用標尺上部の寸法を合計した合計寸法値を有する合計目盛と、を有し、前記スライドにともない伸縮して変化する前記測量用標尺全体の寸法を、前記合計目盛の表面側へ露出する上縁部の数値で表示することを特徴とする伸縮長表示式測量用標尺である。
【発明の効果】
【００１２】
第一、又は第二発明によれば、測量用標尺上部を構成するスライドガイド部に対し、測量用標尺下部を構成するスライド部を、スライドさせ、測量用標尺全体を伸縮させることができる。この測量用標尺下部のスライドは、測量用標尺上部の表面の背側で行われる。このため、合計目盛の上側は、スライドにより、測量用標尺上部の表面から隠れ、残りの下側は露出する。この合計目盛は、測量用標尺下部の下端からの寸法に測量用標尺上部の寸法を合計した合計寸法値を有するものであるから、表面側へ露出する上縁部の数値は、伸縮して変化する測量用標尺全体の寸法を表示することになる。よって、伸縮して変化した測量用標尺の高さが自動的に、簡易な構造により示される。
【発明を実施するための最良の形態】
【００１３】
この発明の実施形態を、図１及び図２に示す。
［測定作業の全体概要］
図２（Ａ）（Ｂ）に示すように、この実施形態は、コンクリート床の凹凸を測定するため、この実施形態にかかる測量用標尺３と測量機器のレベル５を用いるものである。
一人の作業員７が、床の上に測量用標尺３を下端を接して垂直に支持する。他の作業員９は、測量用標尺３から離れた基準床面の上で測量機器であるレベル５を設置する。この測量機器であるレベル５は、基準床面の一定寸法上方、例えば１５０ｃｍ上方において、水平に設置される。レベル５に内蔵する光学機器で、この水平な位置にあるものを、拡大して目視できる。
【００１４】
他の作業員９は、このレベル５をのぞき込んで、測量用標尺３の下端から一定寸法上方に設けられる目標目盛１１を狙う。図２（Ｃ）に示すように、のぞいた視野には、例えば光学機器のレンズに描き込まれた基準水平線Ｈが示される。また、のぞいた視野には、光学機器で拡大された目標目盛１１がはっきりと目視できる。
【００１５】
そして、この目標目盛１１には、基準水平目盛Ｌを境に、上下に、ずれδの大きさを示す目盛りが＋−の記号とともに示される。よって、基準水平線Ｈと基準水平目盛Ｌを重ねて目視し、両者Ｈ，Ｌのずれδの大きさを、目標目盛１１で読み取ることで、コンクリート床の凹凸の大きさを測定することができる。
【００１６】
［測量用標尺３］
図１に示すように、この実施形態にかかる測量用標尺３は、スライドして伸縮できるように、測量用標尺上部１３と、測量用標尺下部１５とからなる。
測量用標尺上部１３は、目標目盛１１が表面に設けられる。また、全体が細長い四角筒状をなし、スライドガイド部として機能する。
測量用標尺下部１５は、測量用標尺上部１３の四角筒状に挿入されスライドできる、よりも細い四角柱状をなし、スライド部として機能する。この測量用標尺下部１５であるスライド部は、測量用標尺上部１３であるスライドガイド部の表面の背側で、スライド移動する。
スライド後の状態を固定するために、固定ネジ１６を設ける。すなわち、ハンドのついた雄ネジの先端は、測量用標尺上部１３の表面に設けられた雌ネジに螺合して貫通し、貫通したネジの先端が測量用標尺下部１５の表面１９を押圧して、固定が行われる。
【００１７】
また、測量用標尺下部１５の表面には合計目盛１７が設けられる。この合計目盛１７は、測量用標尺下部１５の下端からの寸法Ｓ１に、測量用標尺上部１３の寸法Ｓ２を合計した合計寸法値を有する。この測量用標尺上部１３の寸法Ｓ２とは、測量用標尺上部１３の下端から目標目盛１１の基準水平目盛Ｌまでの寸法をいう。
【００１８】
合計目盛１７の上側は、スライドにより、測量用標尺上部の表面１９から隠れる。残りの下側は露出する。境目は、測量用標尺上部１３の下端２１である。
これにより、表面側へ露出する上縁部の数値は、伸縮して変化する測量用標尺３全体の寸法を表示することになる。よって、伸縮して変化した測量用標尺３の高さが自動的に、簡易な構造により示される。なお、図３に、測量用標尺をスライドしやや縮めた状態を示す。
【００１９】
「他の実施形態」
以上の実施形態では、測定は測量機器であるレベル５を用いたが、他の実施形態では、レーザー水平器を用いてもよい。目標目盛１１へレーザー光線を照射し、この照射光が目標目盛１１の上で反射する光る線の部分と、目標目盛１１の基準水平目盛とのずれを、目視で確認し、これによりコンクリート凹凸の大きさを測定する。
【００２０】
以上の実施形態では、測量用標尺上部１３の下端２１により、合計目盛１７の露出する上縁部の数値が指示されるものであったが、他の実施形態では、より明確に指示する工夫を設けてもかまわない。すなわち、例えば、測量用標尺上部１３の下端２１に、横に細長い指示窓を設け、この指示窓に合計目盛１７の露出する上縁部の数値を指示させることも可能である。
以上の実施形態では、測量機器を使用する場合を説明したが、他の実施形態では、レーザー水平器を使用する場合にも、本発明は実施できる。
そのとき、更に、レーザー水平器から水平面に対して平行なレーザー光線を照射するのではなく、垂直面に対して平行なレーザー光線を照射することにより、床の凹凸ではなく、壁面の凹凸の測定にも使用できる。よって、コンクリート壁面の型枠の凹凸を測定し、コンクリート打設前に型枠の精度をあげ、その後にコンクリートを打設する。
つまり、コンクリート壁面の型枠の凹凸を測定するため、壁面の型枠の表面上に測量用標尺を下端を接して水平に支持し、この測量用標尺の下端から一定寸法上方（横方向）に設けられる目標目盛に対して、垂直面に対して平行なレーザー光線を照射する。この照射光の反射を、目標目盛の上で、目視で確認し、凹凸の大きさを測定する。これにより、コンクリート壁面の型枠の凹凸を測定し、コンクリート打設前に型枠の精度をあげ、その後にコンクリートを打設し、精度あるコンクリート壁面を構築できる。
【図面の簡単な説明】
【００２１】
【図１】この発明の一実施形態にかかる伸縮長表示式測量用標尺であり、（Ａ）は正面図、（Ｂ）は側面図である。
【図２】この発明の一実施形態にかかる伸縮長表示式測量用標尺を用いた測定作業の様子を示すものであり、（Ａ）は作業員が測量用標尺を支持する様子の正面図、（Ｂ）は作業員が測量機器であるレベルを扱う概略側面図である。
【図３】図１の測量用標尺をスライドしやや縮めた状態を示すものであり、（Ａ）は正面図、（Ｂ）は側面図である。
【符号の説明】
【００２２】
１…床、３…測量用標尺、５…レベル、７…一人の作業員、９…他の作業員、１１…目標目盛、１３…測量用標尺上部、１５…測量用標尺下部、１７…合計目盛、１９…測量用標尺上部の表面、２１…下端。
【図１】
2010071902.tif 000003
【図２】
2010071902.tif 000004
【図３】
2010071902.tif 000005